(57)【要約】【課題】さまざまな剛性の連続用紙を使用しても、防止壁に引っかかることがない記録装置を提供する。【解決手段】ジャストレバー５０と連動する防止壁７０を設けたので、アジャストレバー５０を用紙厚に合わせた位置にすれば、厚くて剛性のある連続複写用紙の場合には、防止壁７０を用紙層間ずれを防止する位置に自動的に移動させ、厚くて剛性のある連続複写用紙の場合には、防止壁７０を退避位置に自動的に移動させるようにした。【選択図】図５
2007230047.tif 000002
【特許請求の範囲】
【請求項１】
プラテンに巻き付けるようにトラクタ装置により連続複写用紙を搬送し、前記プラテンに対向した記録ヘッドを介して前記連続複写用紙に画像を記録し、この連続複写用紙を排紙機構を介して排紙すると共に、前記排紙機構の下流側に用紙層間ずれを防止する防止壁を備えた記録装置において、
前記連続複写用紙と同一の搬送経路を単層の連続用紙を搬送する場合、前記防止壁を退避させる退避機構を備えたことを特徴とする記録装置。
【請求項２】
前記退避機構が、前記プラテンと前記記録ヘッドとの間のプラテンギャップを調整するアジャストレバーに連動することを特徴とする請求項１に記載の記録装置。
【請求項３】
前記退避機構が、前記アジャストレバーと前記防止壁とを連動させるリンク機構を備えたことを特徴とする請求項２に記載の記録装置。
【請求項４】
前記排紙機構が記録装置本体から着脱自在に構成され、この排紙機構に前記防止壁が揺動自在に支持されることを特徴とする請求項１乃至３のいずれか一項に記載の記録装置。
【発明の詳細な説明】
【技術分野】
【０００１】
本発明は、連続用紙及び連続複写用紙を使用可能な記録装置に関する。
【背景技術】
【０００２】
一般に、プラテンに巻き付けるようにトラクタ装置により連続複写用紙を搬送し、前記プラテンに対向した記録ヘッドを介して連続複写用紙に画像を記録し、この連続複写用紙を排紙機構を介して排紙するドットインパクトプリンタ等の記録装置が知られている。
この種のものでは、厚みのある連続複写用紙が、プラテンで曲げられて搬送された場合に、連続複写用紙の表面に生じる張力と裏面に生じる張力との間に差が生じ、いわゆる用紙層間ずれが生じる場合がある。この用紙層間ずれが生じた状態で、記録ヘッドを用いて画像を記録すると、各用紙に記録ずれが生じる。
この用紙層間ずれを防止すべく、従来、曲げられた連続複写用紙を逆方向に略Ｓの字状に曲げる防止壁を排紙機構の下流側に設け、連続複写用紙の表面と裏面との間に生じる張力の差を打消した記録装置が提案されている（例えば、特許文献１参照）。
【特許文献１】特開平８−３２４８４８号公報
【発明の開示】
【発明が解決しようとする課題】
【０００３】
しかし、この種の記録装置では、厚い連続複写用紙だけでなく、薄い単層の連続用紙を使用することがある。薄くて剛性の弱い連続用紙を使用した場合には、この連続用紙が排紙機構の下流の層間ずれ防止壁を乗り越えられずに引っかかって詰まり、紙ジャムの原因となる。
本発明は、上述した事情に鑑みてなされたものであり、さまざまな剛性の連続用紙を使用しても、防止壁に引っかかることがない記録装置を提供することにある。
【課題を解決するための手段】
【０００４】
本発明は、プラテンに巻き付けるようにトラクタ装置により連続複写用紙を搬送し、前記プラテンに対向した記録ヘッドを介して前記連続複写用紙に画像を記録し、この連続複写用紙を排紙機構を介して排紙すると共に、前記排紙機構の下流側に用紙層間ずれを防止する防止壁を備えた記録装置において、前記連続複写用紙と同一の搬送経路を単層の連続用紙を搬送する場合、前記防止壁を退避させる退避機構を備えたことを特徴とする。
この構成によれば、厚くて剛性のある連続複写用紙の場合には、防止壁を用紙層間ずれを防止する位置に移動させ、薄くて剛性の弱い連続用紙の場合には、防止壁を退避位置に移動させることができ、連続用紙が防止壁を乗り越えられずに引っかかって詰まってしまい、紙ジャムを起こしてしまう場合を防止することができる。
【０００５】
この場合において、前記退避機構が、前記プラテンと前記記録ヘッドとの間のプラテンギャップを調整するアジャストレバーに連動してもよい。
この構成によれば、防止壁がアジャストレバーと連動するので、アジャストレバーを用紙厚に合わせた位置にすれば、厚くて剛性のある連続複写用紙の場合には、防止壁を用紙層間ずれを防止する位置に自動的に移動させ、薄くて剛性の弱い連続用紙の場合には、防止壁を退避位置に自動的に移動させることができる。
【０００６】
この場合において、前記退避機構が、前記アジャストレバーと前記防止壁とを連動させるリンク機構を備えていてもよい。
この構成によれば、左サイドフレームとアッパケースとの間の狭いスペースに上記退避機構を配置することができる。
【０００７】
この場合において、前記排紙機構が記録装置本体から着脱自在に構成され、この排紙機構に前記防止壁が揺動自在に支持されていてもよい。
この構成によれば、防止壁をプリンタ本体から容易に着脱でき、メンテナンスが容易である。
【発明の効果】
【０００８】
本発明では、連続複写用紙と同一の搬送経路を単層の連続用紙を搬送する場合、防止壁を退避させる退避機構を備えるため、さまざまな剛性の連続用紙を使用しても、紙ジャムを防止することができる。
【発明を実施するための最良の形態】
【０００９】
以下、図面を参照して本発明の実施形態を詳述する。なお、以下に示す実施形態では、本発明の一態様として、ドットインパクトプリンタを用いて説明する。
図１は、本発明に係るプリンタの外観を示す斜視図である。
このプリンタ１０は、多数の記録ワイヤを、インクリボンを介してシートに打ち付けてドットを記録することにより、文字を含む画像を印刷する。このプリンタ１０に使用可能なシートとしては、所定長さに切断されたカットシートと、複数枚が連接された連続シートとがある。カットシートとしては、例えば単票紙、単票複写用紙又はカットフィルム等があり、連続シートとしては連続用紙、連続複写用紙がある。
【００１０】
上記ドットインパクトプリンタ１０は、大別すると、記録装置本体としてのプリンタ本体１１と、プリンタ本体１１に装着されたプッシュトラクタユニット（トラクタ装置）１２及び排出ユニット（排紙機構）１３と、プリンタ本体１１の上方、下方のそれぞれを覆う外装体としてのアッパケース１４Ａ及びロアケース１４Ｂとを備えている。排出ユニット１３は、プリンタ本体１１から着脱自在に構成されている。
【００１１】
図２は、図１のプリンタ１０からアッパケース１４Ａ、ロアケース１４Ｂを取り外して斜め右側から見た状態を示す斜視図である。
プリンタ本体１１は、図２に示すように、本体フレームとしてのベースフレーム１５、フロントフレーム１６、リアフレーム１７（図３参照）、左サイドフレーム１８及び右サイドフレーム１９と、記録ヘッド２０及びキャリッジ２１を備えた記録機構部２２とを主に備えている。
ベースフレーム１５、フロントフレーム１６及びリアフレーム１７は、それぞれの略両端部が左サイドフレーム１８及び右サイドフレーム１９に固定されている。これら左サイドフレーム１８と右サイドフレーム１９との間には、図３に示すように、キャリッジ軸３１及びプラテン２３が架け渡されており、それぞれが回動自在に枢支されている。更に、左サイドフレーム１８と右サイドフレーム１９との間には、シート案内２４がリアフレーム１７上に配設されている。
【００１２】
図３に示すプリンタ本体１１におけるフロント側及びリア側の各々には、トラクタユニット装着部４０Ａ、４０Ｂが設けられており、各々にプッシュトラクタユニット１２が着脱自在に装着することができる。なお、図２及び図３は、プリンタ本体１１のリア側にのみプッシュトラクタユニット１２が装着された状態を示す。
プリンタ本体１１のリア側に装着されるプッシュトラクタユニット１２は、連続シート（例えば連続用紙）を、リア側の第１シート搬送機構部２７へ供給するものであり、フロント側に装着されるプッシュトラクタユニット（不図示）は、フロント側の第２シート搬送機構部３０へ供給するものである。
【００１３】
このプッシュトラクタユニット１２は、図２に示すように、左右に一対のトラクタ３６を備えている。これらのトラクタ３６は、トラクタ駆動軸３７に回転一体且つ軸方向摺動自在に軸支されたトラクタ駆動プーリ（不図示）と、トラクタガイド軸３８に回転自在且つ軸方向摺動自在に軸支されたトラクタ従動駆動プーリ（不図示）とにトラクタベルト３９（図３参照）が巻き掛けられている。
一対のトラクタ３６間の距離は、搬送すべき連続シートの幅寸法に応じて調整可能とされる。また、トラクタベルト３９の全外周には複数のピン（不図示）が突設され、連続シートの幅方向両側に形成された穴に係合可能とされる。
【００１４】
キャリッジ軸３１（図３参照）には、図２に示すように、この軸に沿って移動可能なキャリッジ２１が取り付けられている。さらにこのキャリッジ２１には記録ヘッド２０が搭載されている。また、キャリッジ２１は、キャリッジ軸３１がプラテン２３と平行に配置されることから、これらプラテン２３、キャリッジ軸３１の軸方向と一致する主走査方向（図２の左向き又は右向き）に走行（走査）可能である。
このキャリッジ２１は、キャリッジ駆動モータ４１の正転又は逆転により、タイミングベルト（不図示）を介し、キャリッジ軸３１（図３参照）の主走査方向の両方向に走行することができる。ここで、キャリッジ駆動モータ４１は、シート搬送モータ３５とともに、例えばステッピングモータで構成することができる。
【００１５】
キャリッジ軸３１の前方左側には、リボン駆動軸（不図示）が設けられている。このリボン駆動軸は、図２に示すリボンカセット４４内のインクリボン６９ａを移動させるものである。このインクリボン６９ａは、記録ヘッド２０とプラテン２３との間を引き回されるようになっている。
記録ヘッド２０は、多数の記録ワイヤ（不図示）を備え、これらの記録ワイヤの突出方向前方にインクリボン６９ａが送られてくる。記録ヘッド２０は、キャリッジ２１と共に主走査方向に走行される間に、記録ワイヤを突出させてインクリボン６９ａに打ち当て、このインクリボン６９ａのインクを、プラテン２３と記録ヘッド２０との間に搬送されるシートに付着させて、このシートに文字を含む画像を記録する。
【００１６】
この記録ヘッド２０による記録動作は、キャリッジ２１が図１及び図３の主走査方向左向き又は右向きに走行される間に、記録ヘッド２０の記録ワイヤにより一行分の記録がなされ、この一行分の記録がなされる度に、上記第１シート搬送機構部２７又は第２シート搬送機構部３０が、それぞれシートを所定長（通常行間分）搬送させ、これらの動作が繰り返されることにより実施される。
【００１７】
右サイドフレーム１９の外側には、図２に示すように、レリースレバー４７が設けられている。このレリースレバー４７は、シート搬送モータ３５の駆動力をプッシュトラクタユニット１２に伝達したり、切断したりする切り替え装置である。左サイドフレーム１８の外側には、図４及び図５に示すように、アジャストレバー５０が設けられている。このアジャストレバー５０は、略Ｌの字状に形成され、その中程が、キャリッジ軸３１の軸端に設けられた偏心軸７４に連結されている。この偏心軸７４は、上記キャリッジ軸３１の軸心から寸法ｗだけ偏心している。このため、アジャストレバー５０が操作されると、キャリッジ軸３１が偏心軸７４を中心に回動し、記録ヘッド２０とプラテン２３との間のプラテンギャップが変更する。
【００１８】
アジャストレバー５０の一端５０ｂには爪部７６が設けられている。この爪部７６は弾性体であり、左サイドフレーム１８に向かって弾性力を生じている。この左サイドフレーム１８には、偏心軸７４を中心に８個の引掛孔７７が円周方向に等間隔に形成されている。アジャストレバー５０が偏心軸７４を中心に回転したときに、爪部７６は弾性力により、引掛孔７７に引っかかる。これにより、アジャストレバー５０が操作されてプラテンギャップを調整するときに、操作量に応じて一段階ずつ爪部７６が引掛孔７７に引っかかり、ユーザはアジャストレバー５０の操作に応じて感じる引っ掛かり感によって操作量を検知することができる。
【００１９】
アジャストレバー５０の他端には、操作つまみとしてのキャップ５１が嵌め込まれ、このキャップ５１の近傍に長板形状のリンク７１が連結軸７３を中心に回動自在に連結されている。このリンク７１は、連結軸７３と反対側の端部がアジャストレバー５０の位置の変化に合わせて略上下方向に揺動するように設けられ、この反対側端部には、プリンタ本体１１の幅方向に突出する突起７２が一体に設けられている。
【００２０】
排出ユニット１３には、上記リンク７１の近傍に防止壁支持軸７９が設けられ、この防止壁支持軸７９には、防止壁７０の下端７０ｃが軸支され、この防止壁７０が下端７０ｃを基準に揺動自在に支持されている。この防止壁７０は、連続シートの搬送経路におけるプラテン２３の下流側に設けられ、左サイドフレーム１８と右サイドフレーム１９との間に延在する壁状部材であり、その背面７０ｂにリンク７１の突起７２が当接することにより、防止壁７０の接触面７０ａの傾斜角が位置決めされる。
本構成では、上記リンク７１は、その突起７２がアジャストレバー５０の位置に応じて略上下方向に揺動するため、突起７２を介して防止壁７０の接触面７０ａの傾斜角を変化させることができる。すなわち、上記リンク７１はアジャストレバー５０と防止壁７０とを連動させるリンク機構（退避機構）２６を構成している。
【００２１】
図４では、アジャストレバー５０が最もプリンタ前方側の位置から１段階後方の位置（８段階中７段階目）にある状態を示しており、アジャストレバー５０の爪部７６が最も上方に位置する引掛孔７７から１段階下方の位置に引っかかっている。このとき、防止壁７０は、鉛直方向から角度α１だけ後方に傾いた位置に位置決めされる。この構成により、アジャストレバー５０が前方側に操作されるほど、プラテンギャップが大きくなると共に、アジャストレバー５０に連結されたリンク７１の突起７２が上方に移動して防止壁７０の傾斜がきつくなる。
【００２２】
連続シートとして連続複写用紙に画像を記録する場合には、一般に、連続複写用紙の用紙厚は厚いため、その用紙厚に合わせたアジャストレバー５０の位置はプリンタ前方側の位置となる。このため、防止壁７０の傾斜は、図３に一例を示すように、プラテン２３に巻きついて搬送される連続複写用紙を、プラテン２３で曲げられた曲げ方向とは逆方向に曲げる傾斜角度に位置決めされる。
この場合、第１シート搬送機構部２７に給紙された連続複写用紙は、プッシュトラクタユニット１２により後方からプラテン２３に搬送され、プラテン２３に巻きつく。プラテン２３に巻きついた連続複写用紙は、プラテン２３に対向した記録ヘッド２０を介して画像が記録されると、後方斜め上方の排出ユニット１３に配置された防止壁７０に向かって搬送される。防止壁７０に搬送された連続複写用紙は、防止壁７０の接触面７０ａに接触して前方斜め上方に向かって搬送されて排紙される。すなわち、連続複写用紙は、防止壁７０に接触することにより、プラテン２３で曲げられた曲げ方向とは逆方向に曲げられる。
この場合、連続複写用紙には、プラテン２３に巻きつくために連続複写用紙の表面に生じる張力と裏面に生じる張力との間に差が生じるものの、搬送経路の下流でプラテン２３での曲げ方向とは逆方向に曲げられるので、この逆方向の曲げによって上記張力の差を相殺することができ、用紙層間ずれを防止することができる。
【００２３】
一方、連続シートとして単層の連続用紙に画像を記録する場合には、一般に、連続用紙の用紙厚が連続複写用紙よりも薄いため、その用紙厚に合わせたアジャストレバー５０の位置はプリンタ後方側の位置となる。このため、図５及び図６に一例を示すように、防止壁７０が、搬送された連続用紙を、プラテン２３で曲げられた曲げ方向と逆方向に曲げることがない位置、言い換えれば、図３に示す用紙層間ずれを防止する位置から退避した位置に位置決めされる。
ここで、図５では、アジャストレバー５０が最も後方の位置から１段階前方の位置（本図では８段階中２段目）にある状態を示しており、突起７２は最も後方の位置から１段階前方の位置にあり、爪部７６は最も下方に位置する引掛孔７７から１段階上方の位置に引っかかっている。このとき、防止壁７０の背面７０ｂでリンク７１の後端の突起７２に当接している防止壁７０は、鉛直方向から角度α２だけ後方に傾いた位置となる。
【００２４】
この場合、図７に示すように、第１シート搬送機構部２７に給紙された単層の連続用紙は、プッシュトラクタユニット１２により後方からプラテン２３に搬送される。プラテン２３に搬送された単層の連続用紙は、プラテン２３に対向した記録ヘッド２０を介して画像が記録されると、後方斜め上方の排出ユニット１３に配置された防止壁７０の接触面７０ａの上を通過して排紙される。
このように、薄くて剛性の弱い単層の連続用紙の場合には、厚くて剛性のある連続複写用紙の場合と異なり、用紙層間ずれを防止する防止壁７０が退避するので、単層の連続用紙が防止壁７０を乗り越えられずに引っかかって詰まってしまう場合を回避することができる。
【００２５】
以上説明したように、本実施の形態によれば、アジャストレバー５０と連動する防止壁７０を設けたので、アジャストレバー５０を用紙厚に合わせた位置にすれば、厚くて剛性のある連続複写用紙の場合には、防止壁７０を用紙層間ずれを防止する位置に自動的に移動させ、薄くて剛性の弱い連続用紙の場合には、防止壁７０を退避位置に自動的に移動させることができる。
これにより、厚くて剛性のある連続複写用紙の場合には、防止壁７０によって連続複写用紙の用紙層間ずれを防止しつつ、薄くて剛性の弱い単層の連続用紙の場合には、防止壁７０を退避させることができ、単層の連続用紙が防止壁７０を乗り越えられずに引っかかって詰まってしまい、紙ジャムを起こしてしまう場合を防止することができる。したがって、用紙厚の異なるさまざまな剛性の連続用紙を防止壁７０に引っかけることなく使用できる。
【００２６】
また、本構成では、アジャストレバー５０と防止壁７０とを連動させる退避機構をリンク機構２６としたため、左サイドフレーム１８とアッパケース１４Ａとの間の狭いスペースに上記退避機構を配置することができる。また、プリンタ本体１１から着脱自在な排出ユニット１３に防止壁７０を設けたため、防止壁７０をプリンタ本体１１から容易に着脱でき、メンテナンスが容易である。
【００２７】
以上、一実施形態に基づいて本発明を説明したが、本発明は、これに限定されるものではない。例えば、プラテンギャップのアジャストレバー５０が操作されることにより、リンク機構２６を介して防止壁７０を揺動させる構成としているが、これに限定されず、プラテンギャップを調整することなく、防止壁７０を直接揺動させる構成であってもよい。
上記実施形態では、防止壁７０は防止壁支持軸７９で排出ユニット１３に軸支され、防止壁支持軸７９を中心に揺動する構成としているが、これに限定されず、防止壁が用紙層間ずれを防止する位置から退避する構成であれば、防止壁７０が平行移動等の移動を行う構成であってもよい。
【図面の簡単な説明】
【００２８】
【図１】本発明の実施形態に係るプリンタの正面斜視図である。
【図２】連続複写用紙搬送時のプリンタ本体を示す斜視図である。
【図３】連続複写用紙搬送時のプリンタ本体の右側断面図である。
【図４】連続複写用紙搬送時のリンク機構を示す左側側面図である。
【図５】連続用紙搬送時のリンク機構を示す左側側面図である。
【図６】連続用紙搬送時のプリンタ本体を示す斜視図である。
【図７】連続用紙搬送時のプリンタ本体の右側断面図である。
【符号の説明】
【００２９】
１０…プリンタ（記録装置）、１１…プリンタ本体（記録装置本体）、１２…プッシュトラクタユニット（トラクタ装置）、１３…排出ユニット（排紙機構）、２０…記録ヘッド、２３…プラテン、２６…リンク機構（退避機構）、５０…アジャストレバー、７０…防止壁。
【図１】
2007230047.tif 000003
【図２】
2007230047.tif 000004
【図３】
2007230047.tif 000005
【図４】
2007230047.tif 000006
【図５】
2007230047.tif 000007
【図６】
2007230047.tif 000008
【図７】
2007230047.tif 000009